(57)【要約】【課題】アングルとアングルアタッチメントとの嵌合部において、隙間や段差が生じた場合でも、優れた外観品質を有するアングル嵌合構造を提供する。【解決手段】枠材に備え付けられるアングルと、上記アングルと嵌合するアングル受け部と、を有し、上記アングル受け部が、上記アングルと上記アングル受け部との嵌合方向に向かって室内側見付方向の厚さが減少するテーパ面を有し、上記アングルと上記アングル受け部とが嵌合することにより、嵌合部の室内側見込面に、室内側より視認可能な溝が形成される、アングル嵌合構造とする。【選択図】図４
2014070411.tif 000002
【特許請求の範囲】
【請求項１】
枠部材に備え付けられるアングルと、
前記アングルと嵌合するアングル受け部と、を有し、
前記アングル受け部が、前記アングルと前記アングル受け部との嵌合方向に向かって室内側見付方向の厚さが減少するテーパ面を有し、
前記アングルと前記アングル受け部とが嵌合することにより、嵌合部の室内側見込面に、室内側より視認可能な溝が形成される、アングル嵌合構造。
【請求項２】
アングルアタッチメントを備え、前記アングルアタッチメントに前記アングル受け部が設けられている、請求項１に記載のアングル嵌合構造。
【請求項３】
前記アングルアタッチメントに、額縁が備え付けられてなる、請求項２に記載のアングル嵌合構造。
【請求項４】
額縁を備え、前記額縁に前記アングル受け部が設けられている、請求項１に記載のアングル嵌合構造。
【請求項５】
前記テーパ面と該テーパ面を除く室内側見込面との境界部が曲面である、請求項１〜４のいずれかに記載のアングル嵌合構造。
【請求項６】
建物の開口部に設けられる枠部材と、
前記枠部材に備え付けられるアングルと、
前記アングルと嵌合するアングル受け部と、
を備える建具であって、
前記アングル受け部が、前記アングルと前記アングル受け部との嵌合方向に向かって室内側見付方向の厚さが減少するテーパ面を有し、
前記アングルと前記アングル受け部とが嵌合することにより、嵌合部の室内側見込面に、室内側より視認可能な溝が形成される、建具。
【請求項７】
アングルアタッチメントを備え、前記アングルアタッチメントに前記アングル受け部が設けられている、請求項６に記載の建具。
【請求項８】
前記アングルアタッチメントに、額縁が備え付けられてなる、請求項７に記載の建具。
【請求項９】
額縁を備え、前記額縁に前記アングル受け部が設けられている、請求項６に記載の建具。
【請求項１０】
前記テーパ面と該テーパ面を除く室内側見込面との境界部が曲面である、請求項６〜９のいずれかに記載の建具。
【発明の詳細な説明】
【技術分野】
【０００１】
本発明は、アングル嵌合構造、及び該アングル嵌合構造を備えた建具に関する。
【背景技術】
【０００２】
従来の建具の施工において、各構成要素を組み立てる場合には、施工に要する工数、時間、及びコストを抑える観点から、枠に固定したアングル又は枠と一体化したアングルに、該アングルと嵌合するように成形したアングルアタッチメント又は額縁を突き合わせて装着する方法が提案されている。
【０００３】
そのような方法を用いた建具のうち、アングルに額縁を嵌合した例として、特許文献１には、額縁の表面の室外側を凹ませて段部を形成し、アングルを該額縁の凹ませた部分に当接させてアングルの表面と額縁の表面とを同面に形成すると共に、アングルの室内側端部を段部に当接させることを特徴とする建具が開示されている。
【０００４】
特許文献１に記載の技術によれば、アングルの室内側端部を額縁の段部に当接させることにより、アングル表面と額縁の表面とが面一となる構成を有しており、優れた外観品質を有している。このように、突き合わされた部材の接合部が隙間なく面一な構造を有するように設計することが主流であった。
【先行技術文献】
【特許文献】
【０００５】
【特許文献１】特許４５５４７１７号公報
【発明の概要】
【発明が解決しようとする課題】
【０００６】
しかしながら、実際の建具の施工時には、発生する枠ズレや枠カバーの公差により、隙間が生じたり、段差が生じたりするなど、接合部が面一とならない場合があった。そのため、見栄えが悪くなり、外観品質が低下してしまう場合があった。
【０００７】
外観品質を回復させるために、そのようなズレを修正する際には、サッシ部材の組み直しや、部材の交換を行わなければならず、却って工数が増加してしまう可能性がある。
【０００８】
そこで本発明は、アングルとこれを受ける部位との嵌合部において、隙間や段差が生じた場合でも、優れた外観品質を有する、アングル嵌合構造、及び、該アングル嵌合構造を備えた建具を提供することを課題とする。
【課題を解決するための手段】
【０００９】
請求項１に記載の発明は、枠部材に備え付けられるアングルと、上記アングルと嵌合するアングル受け部と、を有し、上記アングル受け部が、上記アングルと上記アングル受け部との嵌合方向に向かって室内側見付方向の厚さが減少するテーパ面を有し、上記アングルと上記アングル受け部とが嵌合することにより、嵌合部の室内側見込面に、室内側より視認可能な溝が形成される、アングル嵌合構造である。
【００１０】
ここで、アングル受け部とは、アングルと嵌合する形状を有する部材のうち、室内側見込面側においてアングルと対向する部位、及び、室内側より視認可能な部位、を併せた部位を意味する。
【００１１】
請求項２に記載の発明は、請求項１に記載のアングル嵌合構造において、アングルアタッチメントを備え、アングルアタッチメントに上記アングル受け部が設けられている。
【００１２】
ここで、アングルアタッチメントとは、アングルに装着される部材のことを意味し、様々な形状の額縁を装着する際のスペーサーとしての機能、及び／又は、装着した額縁にネジを打ち込み固定する際のストッパーとしての機能を有する。
【００１３】
請求項３に記載の発明は、請求項２に記載のアングル嵌合構造において、上記アングルアタッチメントに、額縁が備え付けられている。
【００１４】
請求項４に記載の発明は、請求項１に記載のアングル嵌合構造において、額縁を備え、額縁に上記アングル受け部が設けられている。
【００１５】
請求項５に記載の発明は、請求項１〜４に記載のアングル嵌合構造において、上記テーパ面と該テーパ面を除く室内側見込面との境界部が曲面である。
【００１６】
請求項６に記載の発明は、建物の開口部に設けられる枠部材と、上記枠部材に備え付けられるアングルと、上記アングルと嵌合するアングル受け部と、を備える建具であって、上記アングル受け部が、上記アングルと上記アングル受け部との嵌合方向に向かって室内側見付方向の厚さが減少するテーパ面を有し、上記アングルと上記アングル受け部とが嵌合することにより、嵌合部の室内側見込面に、室内側より視認可能な溝が形成される、建具である。
【００１７】
請求項７に記載の発明は、請求項６に記載の建具において、アングルアタッチメントを備え、アングルアタッチメントにアングル受け部が設けられている。
【００１８】
請求項８に記載の発明は、請求項７に記載の建具において、上記アングルアタッチメントに、額縁が備え付けられている。
【００１９】
請求項９に記載の発明は、請求項６に記載の建具において、額縁を備え、額縁に上記アングル受け部が設けられている。
【００２０】
請求項１０に記載の発明は、請求項６〜９に記載の建具において、上記テーパ面と該テーパ面を除く室内側見込面との境界部が曲面である。
【発明の効果】
【００２１】
本発明によれば、建具の施工時に隙間や段差が生じた場合でも、優れた外観品質を有するアングル嵌合構造、及び該アングル嵌合構造を備えた建具を提供することができる。従って、隙間が生じたとしても再度の組み直しを必要としないことから施工性の向上を図ることもできる。
【図面の簡単な説明】
【００２２】
【図１】１つの実施形態を説明する図で、建具１００の室内側正面視である。
【図２】図１のＩＩ−ＩＩ線に沿った断面図である。
【図３】図１のＩＩＩ−ＩＩＩ線に沿った断面図である。
【図４】図２のうち、嵌合部に着目した図である。
【図５】図３のうち、嵌合部に着目した図である。
【図６】他の実施形態を説明する図で、嵌合部に着目した図である。
【発明を実施するための形態】
【００２３】
本発明の上記のような作用及び利得は、次に説明する発明を実施するための形態から明らかにされる。以下本発明を図面に示す実施形態に基づき説明する。ただし、本発明はこれら実施形態に限定されるものではない。
【００２４】
図１は、１つの実施形態に係る建具１００を説明する図であり、建具１００を室内側正面から見た図である。図２は図１にＩＩ−ＩＩで示した線に沿った断面図、図３は図１にＩＩＩ−ＩＩＩで示した線に沿った断面図である。
図２及び図３では断面図のうち、アングルアタッチメント４０、４０´が表れる両端部に注目して示し、その間の一部は省略している。また、図２は紙面下が室内側、紙面上が室外側、図３は紙面左が室外側、紙面右が室内側である。
ここで、各図では見易さのため、一部の部材を省略したり、部材を誇張して記載したりする等、変形して示す場合がある。
【００２５】
建具１００は、縦枠１０、横枠２０、パネル３０、アングルアタッチメント４０、４０´及び額縁５０を有している。本実施形態では、縦枠１０、１０及び横枠２０、２０が四方枠組みされることにより矩形枠が形成され、その枠内にパネル３０が固定されている。
以下各構成部材について説明する。
【００２６】
縦枠１０は、枠材の１つとして縦枠を形成する長尺の部材であり、図２に表れる断面を有している。縦枠１０は、枠部材１１及び室内側にアングル１２を備えている。
【００２７】
枠部材１１は、縦枠として適用することができる断面形状を有するとともに、その室内側にアングル１２が固定できるように構成されている。すなわち、アングル１２を装着可能な部位を有していれば、断面形状は特に限定されず必要な断面形状を採用することができる。また、枠部材１１の材質は特に限定されず、枠材として適用可能な公知の材質である例えばアルミニウム等を用いることができる。
【００２８】
アングル１２は、アングル基部１２ａ及びアングル嵌合部１２ｂからなり、その室外側に枠部材１１に装着される部位を有している。本実施形態において、アングル基部１２ａは、図２に示すように、アングル１２の本体を構成する略矩形の部位、及び枠部材１１に装着される部位を有しており、枠部材１１に固定される。本実施形態では、枠部材１１に装着される部位は２つの係止突起である。また、アングル基部１２ａの室外側は、パネル３０の端部を保持している。一方、アングル嵌合部１２ｂはアングル基部１２ａの室内側見込面の一端から、室内側見込方向（図２において紙面下方向）に突出した矩形部位を構成する断面形状を有している。アングル１２の材質は特に限定されず、アングルとして適用可能な公知の材質である例えば樹脂等を用いることができる。
アングル１２は、後述するように、アングル嵌合部１２ｂによりアングル受け部を有するアングルアタッチメント４０と嵌合する。
【００２９】
本実施形態では枠部材１１にアングル１２を装着することにより、枠部材１１にアングル１２が係止される形態を示したが、本発明は当該形態に限定されず、枠部材とアングルとが一体構造となっている縦枠であってもよい。
【００３０】
横枠２０は、枠材の１つとして横枠を形成する長尺の部材であり、図３に表れる断面を有している。横枠２０は、枠部材２１及び室内側にアングル２２を備えている。横枠２０は、縦枠と横枠との違いはあるものの縦枠１０と基本的構成は同様である。
【００３１】
枠部材２１は、横枠として適用することができる断面形状を有するとともに、その室内側にアングル２２が固定できるように構成されている。すなわち、アングル２２を装着可能な部位を有していれば、断面形状は特に限定されず必要な断面形状を採用することができる。また、枠部材２１の材質は特に限定されず、枠材として適用可能な公知の材質である例えばアルミニウム等を用いることができる。枠部材２１も、枠部材１１と基本的構成は同様である。
【００３２】
アングル２２は、アングル基部２２ａ及びアングル嵌合部２２ｂからなり、その室外側に枠部材２１に装着される部位を有している。本実施形態において、アングル基部２２ａは、図３に示すように、アングル２２の本体を構成する略矩形の部位、及び枠部材２１に装着される部位を有しており、枠部材２１に固定される。本実施形態では、枠部材２１に装着される部位は２つの係止突起である。また、アングル基部２２ａの室外側は、パネル３０の端部を保持している。一方、アングル嵌合部２２ｂはアングル基部２２ａの室内側見込面の一端から、室内側見込方向（図３において紙面右方向）に突出した矩形部位を構成する断面形状を有する部位である。アングル２２の材質は特に限定されず、アングルとして適用可能な公知の材質である例えば樹脂等を用いることができる。
アングル２２は、後述するように、アングル嵌合部２２ｂによりアングル受け部を有さないアングルアタッチメント４０´と従来の嵌合方法により嵌合する。
【００３３】
パネル３０は、縦枠１０、１０及び横枠２０、２０が四方枠組みされることにより形成される矩形枠内に固定される部材である。パネル３０としては、パネルとして適用可能な公知の部材、例えば複合ガラス等を使用することができ、その矩形枠内への取り付け方法も公知の通りである。
【００３４】
アングルアタッチメント４０は、後述する額縁５０を装着する際のスペーサーとしての機能、及び、装着した額縁にネジを打ち込み固定する際のストッパーとしての機能を有する部材である。図４を用いて、アングルアタッチメント４０について説明する。図４は図２のうち、縦枠１０とアングルアタッチメント４０とが結合する部位を拡大した図である。アングルアタッチメント４０は、基部４１及び固定部４２からなる断面形状を有する。基部４１は、図４に示すように、アングルアタッチメント４０の本体を構成する略矩形の部位である。固定部４２は、基部４１の室内側見込面の一端から、室内側見込方向（図４において紙面下方向）に突出した矩形の部位である。固定部４２は、額縁５０と嵌合する形状を有しており、突き合わされた額縁５０にネジを打ち込み固定するための穴が設けられている。アングルアタッチメント４０の材質は特に限定されず、アングルアタッチメントとして適用可能な公知の材質である、例えば樹脂等を用いることができる。
【００３５】
アングルアタッチメント４０にはアングル１２と嵌合可能なアングル受け部が設けられている。アングル受け部とは、アングル１２と嵌合する形状を有する部材のうち、室内側見込面においてアングル１２と対向する部位、及び、室内側より視認可能な部位、を併せた部位を意味する。従って、本実施形態において、アングル受け部は、基部４１の室内側見込面を構成する部位、及び、固定部４２の室内側見込面を構成する部位により構成される部位である。
アングル受け部には、アングル１２とアングル受け部との嵌合方向（図４において紙面上方向）に向かって室内側見付方向（図４において紙面左右方向）の厚さが減少するテーパ面６０が設けられている。
【００３６】
アングルアタッチメント４０´は、後述する額縁５０を装着する際のスペーサーとしての機能、及び、装着した額縁にネジを打ち込み固定する際のストッパーとしての機能を有する部材である。図５を用いて、アングルアタッチメント４０´について説明する。図５は図３のうち、横枠２０とアングルアタッチメント４０´とが結合する部位を拡大した図である。アングルアタッチメント４０´は、基部４１´及び固定部４２´からなる断面形状を有する。基部４１´は、図５に示すように、アングルアタッチメント４０´の本体を構成する略矩形の部位である。固定部４２´は、基部４１´の室内側見込面の一端から、室内側見込方向（図５において紙面右方向）に突出した矩形の部位である。固定部４２´
は、額縁５０と嵌合する形状を有しており、突き合わされた額縁５０にネジを打ち込み固定するための穴が設けられている。アングルアタッチメント４０´の材質は特に限定されず、アングルアタッチメントとして適用可能な公知の材質である、例えば樹脂等を用いることができる。
【００３７】
アングルアタッチメント４０´には、アングルアタッチメント４０の基部４１に設けられているテーパ面６０は設けられておらず、図５に示すように、アングル２２と突き合わせることにより嵌合可能な段状の溝が設けられている。
【００３８】
額縁５０は、建物開口部の内周面を形成し、建具１００を装飾するための部材であり、図４及び図５に示すように、固定部４２又は４２´と突き合わせることにより、固定部４２又は４２´と嵌合可能な溝を有している。本実施形態では、固定部４２を介して、ネジによって固定されるためのネジ穴を有している。額縁５０の材質は特に限定されず、額縁として適用可能な公知の材質である例えば木材等を用いることができる。
【００３９】
次に図４を用いて、縦枠１０とアングルアタッチメント４０との結合部について説明する。本実施形態においては、図４に示すように、枠部材１１は係止突起１３を備え、アングルアタッチメント４０は係止突起１３に係止される部位を備えている。また、アングルアタッチメント４０は、上述したようにアングル１２と嵌合するアングル受け部を有しており、図４に示すように、アングルアタッチメント４０が縦枠１０と結合する際には、アングル１２と嵌合する。これらの部位を備えることにより、アングルアタッチメント４０は、アングル１２及び枠部材１１により構成されるコ字状の凹部に装着され、係止される。
【００４０】
次に図４を用いて、アングル４０とアングル受け部が設けられているアングルアタッチメント１２との嵌合部についてさらに詳しく説明する。本実施形態において、アングルアタッチメント４０は、アングル受け部を有しており、アングルアタッチメント４０が縦枠１０と結合する際に、アングル嵌合部１２ｂと当接するようにアングル１２と嵌合する。アングル受け部は、上述したように、アングル１２とアングル受け部との嵌合方向（図４において、紙面上方向）に向かって室内側見付方向の厚さが減少するテーパ面６０が設けられたくびれた構造を有している。アングル４０とアングル受け部とが嵌合することにより、嵌合部の室内側見込面に、室内側より視認可能な溝７０が形成される
【００４１】
溝７０の形状は、図４から分かるように略台形であり、テーパ面６０が一方の脚部を構成している。このように意図的に設けられた溝７０は、デザインとして知覚することが可能であり、従来技術のようにアングルの端部を段部に当接させるタイプとは異なり、建具施工時に枠ズレがあった場合や製品の公差があった場合でも、見栄えが悪くなることがなく、優れた外観品質を有する。このことから、再度組み直しをする必要がなく、施工性を向上させることができる。
【００４２】
嵌合部の外観を優れたものとする観点から、テーパ面６０の室内側見込面に対する角度は３０度以上４５度以下であることが好ましい。本実施形態において、テーパ面６０の室内側見込面に対する角度は４０度である。
【００４３】
また、アングル受け部の室内側より視認可能な部位のうちテーパ面６０を除く部位の形状は特に限定されないが、嵌合部の外観を優れたものとする観点から、室内側見込面に形成される溝を除く部位については、室内側見込方向に平行であり、且つ、面一であることが好ましい。本実施形態においては、アングル嵌合部１２及び固定部４２の室内側見込面が、溝７０を挟んで面一となっている。
【００４４】
また、テーパ面６０と該テーパ面６０を除く室内側見込面との境界部が曲面であることが好ましい。境界部の形状が曲面であることにより、テーパ面６０の成形が容易となり、アングル４０とアングル受け部との嵌合部の室内側からの外観を優れたものとすることができる。曲面の形状は特に限定されないが、成形を容易にする観点から、面取り半径２〜５ｍｍで面取りされていることが好ましい。
【００４５】
本実施形態では、アングルアタッチメント４０に、さらに額縁５０が装着されており、ネジによって固定されている。ここで、アングルアタッチメント４０のうち、額縁５０と接触する室内側の端部が、ネジを打ち込む際のストッパーとして機能している。また、本実施形態においては、額縁５０と固定部４２とは、突き合せられることにより室内側見込面が面一となる構造を有している。
【００４６】
次に図５を用いて、横枠２０とアングルアタッチメント４０´との結合部について説明する。本実施形態においては、図５に示すように、枠部材２１は係止突起２３を備え、アングルアタッチメント４０´は係止突起２３に係止される部位を備えている。また、アングルアタッチメント４０´は、アングル２２と嵌合する部位を有しており、図５に示すように、アングルアタッチメント４０´が横枠２０と結合する際には、アングル２２と嵌合する。これらの部位を備えることにより、アングルアタッチメント４０´は、アングル２２及び枠部材２１により構成されるコ字状の凹部に装着され、係止される。
【００４７】
本実施形態において、アングル２２とアングルアタッチメント４０´との嵌合部は、従来と同様に、アングル２２のアングル嵌合部２２ｂをアングルアタッチメント４０´の段部に当接させることにより、嵌合部の室内側見込面が面一となる構成を有している。
【００４８】
本実施形態では、アングルアタッチメント４０´に、さらに額縁５０が装着されており、ネジによって固定されている。ここで、アングルアタッチメント４０´のうち、額縁５０と接触する室内側の端部が、ネジを打ち込む際のストッパーとして機能している。また、本実施形態においては、額縁５０と固定部４２´とは、突き合せられることにより室内側見込面が面一となる構造を有している。
【００４９】
本実施形態では、上下の横枠２０とアングルアタッチメント４０´とは、従来の嵌合方法により、嵌合される形態を示したが、横枠にもアングルアタッチメント４０を適用し、横枠２０とアングルアタッチメント４０との嵌合部が、本発明に係る嵌合構造を有していてもよい。ただし、下の横枠に本発明に係るアングル受け部を有する部材を嵌合させた場合には、下側というその場所の性質上、溝に埃等が溜まりやすいため、下部には、本発明に係るアングル嵌合構造を有しない形態とすることが好ましい。
【００５０】
図６に、本発明の他の実施形態を示す。額縁５０´は、額縁５０と同様に、建物開口部の内周面を形成し、建具を装飾するための部材であるが、図６に示すように、室内側にテーパ面６０及びアングル１２と嵌合可能な部位を有している。すなわち額縁５０´はアングルアタッチメント４０及び額縁５０の機能を併せ持っている。また、額縁５０´はアングル１２と嵌合可能な部位を有していれば、その断面形状は特に限定されない。額縁５０´の材質は特に限定されず、額縁として適用可能な公知の材質である例えば木材等を用いることができる。
額縁５０´は、アングルアタッチメント４０の機能を兼ね備えていることにより、アングルアタッチメント４０を介さずに、直接縦枠１０に結合することが可能である。
【符号の説明】
【００５１】
１０  縦枠
１１  枠部材
１２  アングル
１２ａ  アングル基部
１２ｂ  アングル嵌合部
１３  係止突起
２０  横枠
２１  枠部材
２２  アングル
２２ａ  アングル基部
２２ｂ  アングル嵌合部
２３  係止突起
３０  パネル
４０、４０´  アングルアタッチメント  
４１、４１´  基部
４２、４２´  固定部
５０、５０´  額縁
６０  テーパ面
７０  溝
１００  建具
【図１】
2014070411.tif 000003
【図２】
2014070411.tif 000004
【図３】
2014070411.tif 000005
【図４】
2014070411.tif 000006
【図５】
2014070411.tif 000007
【図６】
2014070411.tif 000008